(57)【要約】【課題】左右両足のブーツのはき口をそれぞれ個別に挟持することにより、左右両足の各ブーツをそのはき口に傷が付くことなくそれぞれ独立して支持し、ブーツを容易に着脱できるブーツスタンドを提供することを課題とする。【解決手段】基台２に支持バー６を介して立設される支持パイプ７内を、上下に摺動自在に挿通するスライドバー８に、一端に挟持部１５を有する一対の湾曲した差し込みワイヤー１４、１４が設けられ、一対の前記各差し込みワイヤー１４、１４に両足のブーツＬ、Ｒをそれぞれ差し込み、左右両足の各ブーツＬ、Ｒのはき口Ａを前記スライドバー８と前記挟持部１５との間で挟持させる。【選択図】図１  
0003110822.tif 000002
【実用新案登録請求の範囲】
【請求項１】
左右両足のブーツを載せる基台に長さ調節自在の支柱が立設され、この支柱の上端部に前記ブーツのはき口を挟持する挟持部材が設けられ、前記挟持部材で前記ブーツのはき口を挟持することによりブーツを直立状態に保つブーツスタンドにおいて、前記挟持部材は一端に挟持部を有する一対の湾曲した差し込みワイヤーにより構成され、一対の前記各差し込みワイヤーが前記支柱の上部に互いに反対向きとなる向きに設けられ、前記挟持部が下向きに設けられ、一対の前記各差し込みワイヤーに前記各ブーツをそれぞれ差し込み、この各ブーツのはき口が前記支柱と前記挟持部との間で挟持されることを特徴とするブーツスタンド。
【請求項２】
前記支柱が前記基台の中央に立設されたことを特徴とする請求項１に記載のブーツスタンド。
【請求項３】
前記支柱の上端部に装飾部材を設けたことを特徴とする請求項１または請求項２に記載のブーツスタンド。
【請求項４】
前記支柱が前記基台に立設する支持バーと、この支持バーの上端に連結固定される支持パイプと、この支持パイプに挿通するスライドバーとからなり、前記スライドバーを前記支持パイプ内に固定する調節ねじが前記支持パイプの上端部に設けられたことを特徴とする請求項１から請求項３のいずれかに記載のブーツスタンド。
【考案の詳細な説明】
【技術分野】
【０００１】
この考案は、ブーツに型崩れや皺などが生じることを防止するために使用されるブーツスタンドに関するものである。
【背景技術】
【０００２】
ブーツの中でも、女性用ロングブーツなどのはき口がふくらはぎよりも上方にあるブーツは、胴筒部Ｂが長いので、図３に示すように、脱いだ時に、胴筒部Ｂで折れ曲がりやすい。折れ曲がったまま長時間放置すると、ブーツの折れた部分に癖が付き、型崩れや皺が発生する。このブーツの型崩れや皺の発生を防ぐために、従来からブーツスタンドが利用されている。
【０００３】
従来のブーツスタンドは、図４に示すように、左右両足Ｌ、Ｒのブーツを載せる基台部２１の中央に高さ調節自在の支柱２２を立設し、この支柱２２の上端部にクリップ２３を設けたものである。前記支柱２２の両側にブーツの左右両足Ｌ、Ｒを分けて基台２１に載せ、支柱２２の高さをブーツのはき口Ａに合わせ、クリップ２３で左右両足Ｌ、Ｒの各ブーツのはき口Ａの両方をはさむことにより、左右両足Ｌ、Ｒのブーツを支柱２２で支えて、その胴筒部Ｂを直立状態に保つことができる（特開２００３−２３５６１０号公報参照）。
【考案の開示】
【考案が解決しようとする課題】
【０００４】
しかし、従来のブーツスタンドは、支柱２２のクリップ２３で左右両足Ｌ、Ｒの各ブーツのはき口Ａの両方をはさんで、左右両足のブーツＬ、Ｒを支持するものであるため、ブーツを支持する際には、各ブーツのそれぞれのはき口Ａを揃えて、これらブーツのはき口の両方をクリップ２３ではさんで支持させる必要がある。また、ブーツを外す際には、クリップ２３をつまんでブーツを外す必要があり、いずれの場合においても使い勝手が悪いという不具合があった。
【０００５】
また、クリップ２３で左右両足Ｌ、Ｒの各ブーツのはき口Ａを挟んでいるため、このクリップ２３によりブーツのはき口Ａに傷が付きやすいという不具合があった。
【０００６】
そこで、この考案は、左右両足のブーツのはき口をそれぞれ個別に挟持することにより、左右両足の各ブーツをそのはき口に傷が付くことなくそれぞれ独立して支持し、ブーツを容易に着脱できるブーツスタンドを提供することを課題とする。
【課題を解決するための手段】
【０００７】
前記の課題を解決するために、この考案は、左右両足のブーツを載せる基台に長さ調節自在の支柱が立設され、この支柱の上端部に前記ブーツのはき口を挟持する挟持部材が設けられ、前記挟持部材で前記ブーツのはき口を挟持することによりブーツを直立状態に保つブーツスタンドにおいて、前記挟持部材は一端に挟持部を有する一対の湾曲した差し込みワイヤーにより構成され、一対の前記各差し込みワイヤーが前記支柱の上部に互いに反対向きとなる向きに設けられ、前記挟持部が下向きに設けられ、一対の前記各差し込みワイヤーに前記各ブーツをそれぞれ差し込み、この各ブーツのはき口が前記支柱と前記挟持部との間で挟持される構成を採用した。
【０００８】
この構成によると、左右両足の各ブーツを一対の差し込みワイヤーの挟持部と支柱との間にそれぞれ差し込むことにより、各ブーツのはき口が支柱と差し込みワイヤーの挟持部との間で挟持される。
【０００９】
また、前記支柱が前記基台に立設する支持バーと、この支持バーの上端に連結固定される支持パイプと、この支持パイプに挿通するスライドバーとからなり、前記スライドバーを前記支持パイプ内に固定する調節ねじが前記支持パイプの上端部に設けられた構成を採用してもよい。この構成にすると、前記調節ねじにより前記スライドバーが前記支持パイプ内の任意の位置に固定される。
【考案の効果】
【００１０】
以上のように、この考案のブーツスタンドは、ブーツを支持する際には、各ブーツのはき口を一対の各差込ワイヤーに差し込むだけで、各ブーツのはき口が差し込みワイヤーとスライドバーの挟持部との間で挟持されるため、容易に左右両足の各ブーツを独立して直立状態に保つことができる。また、ブーツを外す際には、各ブーツを傾けてそのはき口を差し込みワイヤーから抜き取るだけで容易にブーツを外すことができる。
【００１１】
また、各ブーツのはき口が一対の差し込みワイヤーとスライドバーの挟持部との間で挟持されているので、ブーツのはき口に傷が付きにくいものとなる。
【００１２】
さらに、調節ねじによりスライドバーを支持パイプ内の任意の位置に固定することができるため、基台から差し込みワイヤーの挟持部の下端までの高さを所定の範囲に設定することが可能となり、様々な高さのブーツを直立状態に保つことができる。
【考案を実施するための最良の形態】
【００１３】
以下、この考案の実施形態を添付図面に基づいて説明する。
【００１４】
ブーツスタンド１は、図１および図２に示すように、ブーツを載せる基台２と、前記基台２の中央に立設される支柱３と、この支柱３の上端部側面に設けられる挟持部材４と、支柱３の上端部に設けられる装飾部材５からなる。
【００１５】
前記基台２は、円盤状に形成され、左右両足のブーツＬ、Ｒが載せられるものである。
【００１６】
前記支柱３は、支持バー６と、この支持バー６の上端に連結固定される支持パイプ７と、この支持パイプ７に挿通するスライドバー８とから構成される。前記基台２の中央に支持バー６が立設され、この支持バー６の上端部にこれよりも小径となるジョイント部９が設けられる。このジョイント部９がその外径寸法を支持パイプ７の内径寸法よりも小さくなるように形成され、ジョイント部９に前記支持パイプ７を挿入することができる。また、この支持パイプ７がその外径寸法を支持バー６の外径寸法と等しくなるように形成され、これにより、支持バー６と支持パイプ７との継ぎ目が目立たず、美観が損なわれない。この支持パイプ７の下端部側面には固定ねじ１１が設けられ、この固定ねじ１１をねじ込むことにより支持バー６のジョイント部９が支持パイプ７に固定され、支持バー６の上端部に支持パイプ７が連結固定される。
【００１７】
前記スライドバー８は、支持パイプ７内を上下方向に自在に摺動し、その摺動する長さを最大にするために、その長さを支持パイプ７の長さと等しくなるように形成される。支持パイプ７の上端部側面には調節ねじ１２が設けられ、これをねじ込むことにより、スライドバー８が支持パイプ７内の任意の位置に固定され、前記基台２から後述する挟持部１５の下端まで高さを所定の範囲（３５ｃｍから６０ｃｍの範囲）に調節することができる。また、スライドバー８の上端部には、後述する装飾部材５を取り付けるためのねじ部１３が設けられる。
【００１８】
前記挟持部材４は、一対の湾曲した差し込みワイヤー１４、１４により構成され、前記各差し込みワイヤー１４は一端に挟持部１５を有する。一対の各差し込みワイヤー１４が前記スライドバー８の上端部に互いに反対向きとなる向きに設けられ、その各挟持部１５が前記スライドバー８と所定の間隔を持って下向きに設けられる。これにより、左右両足の各ブーツＬ、Ｒをそのはき口を傷つけることなく一対の前記各差し込みワイヤー１４に差し込むことができる。
【００１９】
前記装飾部材５は、その下部にねじ穴１６が設けられ、このねじ穴１６に前記スライドバー８のねじ部１３をねじ込むことにより、スライドバー８の上端部に固定される。この装飾部材５を鳥の羽ばたく姿を模した形状にすれば、ブーツスタンド全体が美観に優れたものとなり、ブーツスタンド１をインテリアの一つとして玄関口に違和感なく置くことができる。また、この装飾部材５を取手として利用することにより、これをつかんで、ブーツスタンド１を移動することもでき、ブーツスタンド１の商品価値を高めることができる。
【００２０】
以上のようにブーツスタンド１は構成されるものであり、以下にその使用方法を説明する。
【００２１】
まず、前記装飾部材５をつかみ、スライドバー８を上下に摺動させ、ブーツのはき口Ａの高さにスライドバー８の挟持部１５の高さを合わせた状態にする。この状態で、支持パイプ７の調節ねじ１２をねじ込んでスライドバー８を支持パイプ７内に固定する。
【００２２】
次に、左右両足の各ブーツＬ、Ｒのはき口Ａをスライドバー８の差し込みワイヤー１４に差し込むとともに、この各ブーツＬ、Ｒを支持パイプ７を挟んで基台２の左右両側に載せる。これにより、左右両足のブーツＬ、Ｒが独立してスライドバー８と一対の差し込みワイヤー１４の挟持部１５により挟持され、容易に各ブーツの胴筒部Ｂを直立状態に保つことができる。
【００２３】
また、ブーツを外すには、ブーツを傾けながら差し込みワイヤー１４から各ブーツのはき口Ａを抜き取るだけで、容易にブーツを外すことができる。
【図面の簡単な説明】
【００２４】
【図１】実施形態のブーツスタンドを示す斜視図
【図２】同上のブーツスタントの使用状態を示す斜視図
【図３】脱いだロングブーツの状態を示す斜視図
【図４】従来のブーツスタンドの使用状態を示す斜視図
【符号の説明】
【００２５】
１  ブーツスタンド
２  基台
３  支柱
４  挟持部材
５  装飾部材
６  支持バー
７  支持パイプ
８  スライドバー
９  ジョイント部
１１  固定ねじ
１２  調節ねじ
１３  ねじ部
１４  差し込みワイヤー
１５  挟持部
１６  ねじ穴
２１  基台部
２２  支柱
２３  クリップ
Ａ  はき口
Ｂ  胴筒部
Ｌ  左足
Ｒ  右足
【図１】
0003110822.tif 000003
【図２】
0003110822.tif 000004
【図３】
0003110822.tif 000005
【図４】
0003110822.tif 000006